(57)【特許請求の範囲】
【請求項１】
払拭面を払拭可能なる長尺状のリフィルと、該リフィルの保持部に係合した状態で保持可能に形成され且つ該リフィルに弾性を付与する平面状の第１バーティブラと、該第１バーティブラに係合され且つ前記払拭面より大きな曲率に形成されてなる第２バーティブラと、前記リフィルを払拭駆動可能なる駆動部材と、前記駆動部材及び前記第１バーティブラを連結し且つ駆動部材によって払拭面側に回転付勢されてなる連結部材とを備えてなるワイパーであって、
前記第１バーティブラには、前記リフィルの保持部を保持可能なる爪が長尺方向に断続的に形成されてなり、前記リフィルの開放されている端部には、該爪に係合可能なる溝部が形成されてなり、
前記第１バーティブラは、長尺方向の真ん中に形成されてなる第１係合部と、該第１係合部の両端部に形成されてなる第１開口と、該第１バーティブラの両端側に形成されてなる第２係合部と、第２係合部の長尺方向の真ん中側に形成されてなる第２開口とを有し、第２バーティブラは、長尺方向の真ん中に形成されてなる第４係合部と、該第２バーティブラの端末に形成されてなる第５係合部とを有してなり、
第１バーティブラの第１係合部の上側に第２バーティブラの第４係合部を係合させると共に第１バーティブラの第１開口を介して第２バーティブラの端末を下側に挿入して、第１バーティブラの第２開口を介して第２係合部に第２バーティブラの第５係合部を係止させことで、平板状の第１バーティブラが、円弧状の第２バーティブラによって、円弧状に曲がった状態に固持されてなることを特徴とするワイパー
【発明の詳細な説明】
【０００１】
【発明の属する技術分野】
この発明は、自動車、航空機、船舶などの乗り物のフロントウインドパネルなど窓に付着した雨水やゴミなどを払拭することが可能なるワイパー、特にレバーのないワイパーの構造に関する。
【０００２】
【従来の技術】
従来のレバーのないワイパー１としては、例えば、図１８乃至図２０に示すように、フロントウインドパネルなどの払拭部材２の払拭面２ａを払拭可能なる払拭部３ｂを有するリフィル３と、該リフィル３の保持部３ａを係合した状態で保持可能に形成され且つ該リフィル３に弾性を付与するバーティブラ４と、前記リフィル３を払拭駆動可能なるモータ、駆動軸、スプリングなどの駆動部材５と、前記駆動部材５及び前記バーティブラ４を連結した連結部材６とを備えてなる。前記バーティブラ４は、前記払拭面２の曲率よりも大きな曲率で形成されてなり、前記駆動部材５で前記払拭部材２側にリフィル３を押圧すると、レバーがないにも関わらず、払拭部材２の払拭面２ａにリフィル３が密接して、払拭面２ａの払拭を可能としている。符号７は、前記リフィル３及び前記バーティブラ４の両端部側に嵌合されてなるキャップである。符号８は、前記リフィル３と一体のカバーで、風圧を受けると、前記リフィル３が払拭面２ａ側への押圧力が生じるような断面に形成されている。
【０００３】
【発明が解決しようとする課題】
しかしながら、かかるワイパー１にあっては、リフィル３の払拭部３ｂは、図２０に示すように、断面直角状に形成されているが、摩擦によって劣化した場合、リフィル３がバーテイブラ４から離脱できないので、リフィル３だけでなく、ワイパー１全体を交換する必要があり、ユーザーに高価な出費を要求するようになり、改善が求められている。また、ワイパー１には、リフィル３の違いだけで、雨滴を払拭するための「雨用のワイパー」と、雪などを除去するための「雪用のワイパー」とがあって、交換する際には、ワイパー１全体を交換する必要があり、この点でも改善が求められている。
【０００４】
そこで、この発明は、リフィルのみの交換を可能としたワイパーを提供することを目的としている。
【０００５】
【課題を解決するための手段】
前記目的を達成するために、請求項１の発明は、払拭面を払拭可能なる長尺状のリフィルと、該リフィルの保持部に係合した状態で保持可能に形成され且つ該リフィルに弾性を付与する平面状の第１バーティブラと、該第１バーティブラに係合され且つ前記払拭面より大きな曲率に形成されてなる第２バーティブラと、前記リフィルを払拭駆動可能なる駆動部材と、前記駆動部材及び前記第１バーティブラを連結し且つ駆動部材によって払拭面側に回転付勢されてなる連結部材とを備えてなるワイパーであって、前記第１バーティブラには、前記リフィルの保持部を保持可能なる爪が長尺方向に断続的に形成されてなり、前記リフィルの開放されている端部には、該爪に係合可能なる溝部が形成されてなり、前記第１バーティブラは、長尺方向の真ん中に形成されてなる第１係合部と、該第１係合部の両端部に形成されてなる第１開口と、該第１バーティブラの両端側に形成されてなる第２係合部と、第２係合部の長尺方向の真ん中側に形成されてなる第２開口とを有し、第２バーティブラは、長尺方向の真ん中に形成されてなる第４係合部と、該第２バーティブラの端末に形成されてなる第５係合部とを有してなり、第１バーティブラの第１係合部の上側に第２バーティブラの第４係合部を係合させると共に第１バーティブラの第１開口を介して第２バーティブラの端末を下側に挿入して、第１バーティブラの第２開口を介して第２係合部に第２バーティブラの第５係合部を係止させことで、平板状の第１バーティブラが、円弧状の第２バーティブラによって、円弧状に曲がった状態に固持されてなることを特徴とする。
【０００６】
請求項１の発明によれば、リフィルが劣化した場合、前記第１バーテイブラに形成した爪にリフィルの溝部を出し入れさせることで、リフィルのみを交換することが可能となり、ワイパー全体を交換しなくてもよいことになる。このことは、資源の有効利用、消費者の費用負担軽減になる。また、リフィルの仕様によって、雨滴払拭用のリフィルと、雪かき用のリフィルがあるが、かかる交換の場合、リフィルのみを交換すればよいことになり、ワイパー全体を交換しなくてもよいことになる。この点も、資源の有効利用、消費者の費用負担軽減になる。また、爪により第１バーティブラと第２バーティブラとの結合体が保持されるので、全体の背が低くなり、ワイパー稼働時におけるローリングが少なくなり、リフィルの耐摩耗性が向上する。また、前記連結部材は、前記駆動部材によって払拭面側に回転付勢されてなるので、押圧部材であるレバーのないワイパーであるにも関わらず、払拭面に面一に押圧できることになる。また、バーテイブラを結合支持してなるので、該バーテイブラを介してリフィルが連結部材に確実に支持されてなる。更に、前記第１バーティブラと前記第２バーティブラとを中央部に形成されてなる第１、４係合部及び両端部に形成されてなる第２、５係合部を嵌合させるだけで、両者が結合支持できるので、組立が簡易且つ容易である。
【００１３】
【発明の実施の形態】
以下、図１乃至図１７の図面を参照しながら、この発明の一実施形態について具体的に説明する。従来の図１８乃至図２０に示したものと同一部品は、同一符号を用いて説明する。
【００１４】
図１において、符号１０は、本発明のワイパーであって、該ワイパー１０は、自動車のフロントウインドパネルなどの払拭部材２の払拭面２ａを払拭可能なる長尺状のリフィル１１と、該リフィル１１の保持部１１ａに係合した状態で保持可能に形成されてなる平面状の第１バーティブラ１２と、該第１バーティブラ１２に係合され且つ前記払拭面２ａより大きな曲率に形成されてなることで前記リフィル１１を前記払拭面２ａに抑え付ける弾性力を付与する第２バーティブラ１３と、前記リフィル１１を払拭駆動可能なる駆動部材５と、該駆動部材５及び前記第１、第２バーティブラ１２、１３を連結した連結部材１４と、前記第１バーティブラ１２に係合され且つ風圧に対して前記リフィル１１を払拭面２ａ側に押圧付勢してなる断面形状のカバー２５とを少なくとも備えてなる。
【００１５】
前記リフィル１１は、前記保持部１１ａと、払拭部１１ｂと、前記保持部１１ａ及び前記払拭部１１ｂの間に形成されてなる頸部１１ｃとよりなり、全長５５０ミリメートルの長尺状に形成されている。前記保持部１１ａは、図２に示すように、断面正方形に形成されてなる。該保持部１１ａの両側面１１ａａには、上下に離間した位置に二つの第１溝１５及び第２溝１６が形成されてなり、第１溝１５には、両側から平板状のばね鋼よりなる第３バーティブラ１７，１７が挿入支持されてなる。第２の溝１６は、「溝部」に相当するもので、図１及び図１４に示すように、長尺の一端１６ａが閉じられ、図１及び図１２に示すように、他端１６ｂが開放している。
【００１６】
前記第１バーティブラ１２は、図３乃至図９に示すように、板厚０．６ミリメートルのステンレス板よりなり、全長約５５０ミリメートル、全幅１２ミリメートルの長尺状の平板により形成されている。側面には、幅３ミリメートルの爪１８が複数箇所形成され、上面の長尺方向には、１ミリメートルの幅の切り欠き１９がほぼ全長に亘って形成されてなる。前記第１バーティブラ１２の真ん中には、第１係合部２０が形成され、その両端部には、長い第１開口２１，２１が形成されている。前記第１バーティブラ１２の両端側には、前記切り欠き１９間を架橋した第２係合部２２が形成されている。第１係合部２０と第２係合部２２との間には、適宜前記切り欠き１９間を架橋した第３係合部２３が形成されている。
前記第２係合部２２の真ん中側及び第３係合部２３の両端側には、第２、第３開口２４，２６が形成されている。
【００１７】
前記爪１８は、図３及び図４に示すように、長尺方向（長手方向）に１ミリメートルの幅で形成されている切り欠き１８ａ、１８ａの間で幅方向に６ミリメートルの位置から、長尺方向（長手方向）に５ミリメートル、下側に６．４ミリメートルの長さを有するように形成されている。爪１８の自由端部１８ｂは、前記第１バーティブラ１２に沿って水平に形成され、自由端部１８ｂ、１８ｂ間の図７に示す隙間１８ｃは、３．２ミリメートルの幅寸法に形成されている。また、爪１８により第１バーティブラ１２と第２バーティブラ１３との結合体が保持されるので、全体の背が低くなり、ワイパー１０の稼働時におけるローリングが少なくなり、リフィル１１の耐摩耗性が向上する。
【００１８】
前記第１係合部２０は、前記第１バーティブラ１２の長尺の真ん中に形成されているもので、幅方向に６ミリメートル、長尺方向（長手方向）に１０ミリメートル、深さ１．４ミリメートルの位置で、前記第１バーティブラ１２の前記切り欠き１９を架橋している。第２係合部２２は、前記第１バーティブラ１２の両端部に形成されているもので、幅方向に６ミリメートル、長尺方向（長手方向）に４ミリメートル、深さ１．４ミリメートルの位置で、前記第１バーティブラ１２の前記切り欠き１９を架橋している。前記第３係合部２３は、前記第１バーティブラ１２の第１係合部２０と第２係合部２２との間に形成されているもので、幅方向に６ミリメートル、長尺方向（長手方向）に６ミリメートル、深さ１．４ミリメートルの位置で、前記第１バーティブラ１２の前記切り欠き１９を架橋している。
【００１９】
前記第１開口２１は、幅方向に６ミリメートル、長尺方向（長手方向）に約２５ミリメートルの開口で、図６に示すように、長尺方向に沿って、２ミリメートルのフランジ２１ａ、２１ａが下側に立設されている。
【００２０】
前記第１バーティブラ１２の中央の外側には、２ミリメートルの第１ストッパ２７，第２ストッパ２８がそれぞれ突出形成されていて、第１ストッパ２７の１５度の斜面２７ａを迫り上がることで、前記連結部材１４がガイドされて、第１，第２ストッパ２７，２８内に係合されるように形成されている。
【００２１】
前記第２バーティブラ１３は、図１０に示すように、板厚１．０ミリメートルのステンレス板よりなり、展開時の全長約５５０ミリメートル、全幅６ミリメートルで、全長の中心の下側に中心部を有する半径３００ミリメートルの長尺状の円弧板に形成されている。長尺方向の真ん中には、長尺方向に９ミリメートルで、２ミリメートル上側に盛り上がった第４係合部２９が形成されている。この第２バーティブラ１３の端末は、長尺方向に４ミリメートルで、２ミリメートル上側に盛り上がっると共に６０度の面取り形成されている第５係合部３０が形成されている。
【００２２】
このように構成されたワイパー１０を組み立て状況を、次に説明する。まず、第１バーティブラ１２と第２バーティブラ１３とは、図１１に示すように、第１バーティブラ１２の下側に第２バーティブラ１３を配する様にして、第１バーティブラ１２の第１係合部２０の上側に第２バーティブラ１３の第４係合部２９を係合させる。次に、第１バーティブラ１２の第１開口２１を介して第２バーティブラ１３の端末を挿入して、第１バーティブラ１２の第２開口２４を介して第２係合部２２に第２バーティブラ１３の第５係合部３０を係止させる。こうすることで、平板状の第１バーティブラ１２が、円弧状の第２バーティブラ１３によって、円弧状に曲がった状態に固持される。つまり、第２バーティブラ１３の曲率、板厚、硬度などを適切に設定することにより、駆動部材５からの押圧力や払拭部材２のカーブなどに適切に対応できることになる。
【００２３】
次に、図１２に示すように、第１バーティブラ１２と第２バーティブラ１３との組上がったものの爪１８に、リフィル１１の第２溝１６の開放されている他方１６ｂをあてがい、図１３に示すように、右側にずらすことで、第２溝１６と爪１８とが係合される。そして、図１４に示すように、爪１８が第２溝１６の閉じられた一方１６ａまで達すると、図１５に示すように、前記第１バーティブラ１２に係合されている断面Ｌ字形のキャップ３１に突き当たる。このとき、同時に、第２溝１６の図示しない突起を爪１８の自由端部が乗り越えて第２溝１６の凹みに再び係入することで、リフィル１１が第１バーティブラ１２と第２バーティブラ１３との組上がったものから脱落するのを防止できることで、この摺動作業は終了する。また、リフィル１１は、円弧状に曲がった状態に固持される第１バーティブラ１２と第２バーティブラ１３との組上がったものに保持されるので、リフィル１１自体も円弧状になる。
【００２４】
前記キャップ３１は、図１に示すように、前記カバー２５の端部に当接しているが、該カバー２５は、図１６に示すように、カバー２５の脚部２５ａを、第１バーティブラ１２の第２開口２４から切り欠き１９に臨ませて、該切り欠き１９に係入させて支持されている。
【００２５】
前記カバー２５は、柔軟性のあるゴムやプラスチックなどを素材とした第１バーティブラ１２、第２バーティブラ１３を保護するように、該第１バーティブラ１２、第２バーティブラ１３の上部に前記したように保持されている。該カバー２５の断面は、一方が低く、他方が高く、該高い部位には、堤状に形成されていて、走行に伴う風圧などを受けやすい形状に形成されてなり、該風圧によりワイパー１０のリフィル１１の払拭部１１ｂが払拭部材２の払拭面２ａから浮き上がらないように工夫されていることで、払拭性が保持されることになる。
【００２６】
以上の構成よりなるワイパー１０は、リフィル１１の払拭部１１ｂが劣化した場合、前記第１バーテイブラ１２に形成した爪１８にリフィル１１の第２溝１６を出し入れさせることで、リフィル１１のみを交換することが可能となり、ワイパー１０全体を交換しなくてもよいことになる。このことは、資源の有効利用、消費者の費用負担軽減になる。また、リフィル１１の仕様によって、雨滴払拭用のリフィルと、雪かき用のリフィルがあるが、かかる交換の場合、リフィル１１のみを交換すればよいことになり、ワイパー１０全体を交換しなくてもよいことになる。この点も、資源の有効利用、消費者の費用負担軽減になる。また、爪１８により第１バーティブラ１２と第２バーティブラ１３との結合体が保持されるので、全体の背が低くなり、ワイパー１０の稼働時におけるローリングが少なくなり、リフィル１１の耐摩耗性が向上する。
【００２７】
また、前記第１バーティブラ１２と第２バーティブラ１３とが円弧状に曲がって形成されてなるので、そこに支持されたリフィル１１が払拭面２ａ側に回転付勢されてなるので、スプリングなど押圧手段のないワイパーであるにも関わらず、払拭面２ａに面一に押圧できることになる。また、第１バーテイブラ１２及び第２バーティブラ１３を結合支持してなるので、該第１、第２バーテイブラ１２，１３を介してリフィル１１が連結部材１４に確実に支持されてなる。
【００２８】
また、前記第１バーティブラ１２と前記第２バーティブラ１３とを、中央部を第１係合部２０と第４係合部２９とにより、また両端部を第２係合部２２と第５係合部３０とにより係合させるだけで、両者１２，１３が結合支持できるので、組立が簡易且つ容易である。
【００２９】
また、前記カバー２５により払拭面２ａに対してリフィル１１を押しつけることが出来るので、ワイパー１０の浮き上がりが防止できるばかりか、装飾的追加が可能である。
【００３０】
【発明の効果】
請求項１の発明によれば、リフィルが劣化した場合、前記第１バーテイブラに形成した爪にリフィルの溝部を出し入れさせることで、リフィルのみを交換することが可能となり、ワイパー全体を交換しなくてもよいことになる。このことは、資源の有効利用、消費者の費用負担軽減になる。また、リフィルの仕様によって、雨滴払拭用のリフィルと、雪かき用のリフィルがあるが、かかる交換の場合、リフィルのみを交換すればよいことになり、ワイパー全体を交換しなくてもよいことになる。この点も、資源の有効利用、消費者の費用負担軽減になる。また、爪により第１バーティブラと第２バーティブラとの結合体が保持されるので、全体の背が低くなり、ワイパー稼働時におけるローリングが少なくなり、リフィルの耐摩耗性が向上する。また、前記連結部材は、前記駆動部材によって払拭面側に回転付勢されてなるので、押圧部材であるレバーのないワイパーであるにも関わらず、払拭面に面一に押圧できることになる。また、バーテイブラを結合支持してなるので、該バーテイブラを介してリフィルが連結部材に確実に支持されてなる。更に、前記第１バーティブラと前記第２バーティブラとを中央部に形成されてなる第１、４係合部及び両端部に形成されてなる第２、５係合部を嵌合させるだけで、両者が結合支持できるので、組立が簡易且つ容易である。
【図面の簡単な説明】
【図１】この発明にかかるワイパーの一実施形態の斜視図。
【図２】図１のＳＡ−ＳＡ線に沿った拡大断面図。
【図３】図１の第１バーティブラの平面図。
【図４】図３の側面図。
【図５】図４のＳＢ−ＳＢ線に沿った断面図。
【図６】図４のＳＣ−ＳＣ線に沿った断面図。
【図７】図４のＳＤ−ＳＤ線に沿った断面図。
【図８】図４のＳＥ−ＳＥ線に沿った断面図。
【図９】図４の矢視Ｆにかかる側面図。
【図１０】図１の第２バーティブラの側面図。
【図１１】図１の第１バーティブラと第２バーティブラとの組み立て状態における断面図。
【図１２】図１の第１バーティブラと第２バーティブラとの組み立て体にリフィルを組み立てる前の状態における側面図。
【図１３】図１の第１バーティブラと第２バーティブラとの組み立て体にリフィルを組み立て始めた状態における側面図。
【図１４】図１の第１バーティブラと第２バーティブラとの組み立て体にリフィルを組み立て後の状態における側面図。
【図１５】図１５の状態における第１バーティブラと第２バーティブラとの組み立て体の他方側の端末の側面図。
【図１６】図１の第１バーティブラにカバーを組み立てる前の分解斜視図。
【図１７】図２のＳＧ−ＳＧ線に沿った断面図。
【図１８】従来例のワイパーの斜視図。
【図１９】図１８の中央部及び端末部を示す拡大説明図。
【図２０】図１８の断面図。
【符号の説明】
１、１０  ワイパー
２  払拭部材
２ａ  払拭面
３、１１  リフィル
３ａ、１１ａ  リフィルの保持部
３ｂ、１１Ｂ  リフィルの払拭部
５  駆動部材
６、１４  連結部材
１２  第１バーティブラ
１３  第２バーティブラ
１６  第２溝（溝部）
１８  爪
２５  カバー
【図１】
0003590774.tif 000002
【図２】
0003590774.tif 000003
【図３】
0003590774.tif 000004
【図４】
0003590774.tif 000005
【図５】
0003590774.tif 000006
【図６】
0003590774.tif 000007
【図７】
0003590774.tif 000008
【図８】
0003590774.tif 000009
【図９】
0003590774.tif 000010
【図１０】
0003590774.tif 000011
【図１１】
0003590774.tif 000012
【図１２】
0003590774.tif 000013
【図１３】
0003590774.tif 000014
【図１４】
0003590774.tif 000015
【図１５】
0003590774.tif 000016
【図１６】
0003590774.tif 000017
【図１７】
0003590774.tif 000018
【図１８】
0003590774.tif 000019
【図１９】
0003590774.tif 000020
【図２０】
0003590774.tif 000021